(57)【要約】【課題】軸体を軸として２つの部材を回動しても、これらの部材が長期にわたって緩まない装身具を提供する。【解決手段】装身具の一例であるイヤリング１０は、突出部１２ａを備える第一装飾部材１２と、突出部１２ａの両側に隙間２４，２６が形成されるように突出部１２ａを挟む一対の張出部１４ａ，１４ｂを備える第二装飾部材１４と、突出部１２ａおよび一対の張出部１４ａ，１４ｂの回動軸となる軸体１６と、両側の隙間２４，２６にそれぞれ配置された２枚のワッシャー１８，１８を有し、第一装飾部材１２と第二装飾部材１４で耳たぶを挟む。両側の隙間２４，２６にそれぞれ配置された２枚のワッシャー１８，１８は、中心部がへこんでいる形状を備え、この中心部のへこみが対向するように配置されている。【選択図】図４
2019181053.tif 000002
【特許請求の範囲】
【請求項１】
突出部を備える第一装飾部材と、前記突出部の両側に隙間が形成されるように前記突出部を挟む一対の張出部を備える第二装飾部材と、前記突出部および前記一対の張出部の回動軸となる軸体と、前記両側の隙間にそれぞれ配置された複数枚の板状部材とを有し、前記第一装飾部材と前記第二装飾部材で被保持体を挟む装身具であって、
前記両側の隙間にそれぞれ配置された複数枚の板状部材が、中心部がへこんでいる形状を備え、前記中心部のへこみが対向するように配置された２枚の板状部材を含む装身具。
【請求項２】
突出部を備える第一装飾部材と、前記突出部の両側に隙間が形成されるように前記突出部を挟む一対の張出部を備える第二装飾部材と、前記突出部および前記一対の張出部の回動軸となる軸体と、前記両側の隙間にそれぞれ配置された複数枚の板状部材とを有し、前記第一装飾部材と前記第二装飾部材で被保持体を挟む装身具であって、
前記両側の隙間にそれぞれ配置された複数枚の板状部材が、中心部が盛り上がっている形状を備え、前記中心部の盛り上がりが対向するように配置された２枚の板状部材を含む装身具。
【請求項３】
請求項１または２において、
少なくとも一方の前記隙間に配置された複数枚の板状部材が、１組以上の前記２枚の板状部材からなる装身具。
【請求項４】
請求項１または２において、
少なくとも一方の前記隙間に配置された複数枚の板状部材が、平らな板状部材をさらに含んでいる装身具。
【請求項５】
請求項１から４のいずれかにおいて、
前記２枚の板状部材の中心に穴が設けられており、
前記２枚の板状部材が、外周から前記穴に向かって傾斜平面を備えている装身具。
【請求項６】
請求項１から５のいずれかにおいて、
前記両側の隙間にそれぞれ配置された複数枚の板状部材が、前記突出部および前記一対の張出部からはみ出さない装身具。
【発明の詳細な説明】
【技術分野】
【０００１】
本発明は、身体の一部等である被保持体を挟むことによって被保持体に保持されるクリップ式の装身具に関するものである。
【背景技術】
【０００２】
ピンを軸として２つの部材が回動し、これらの２つの部材がピンと反対側で耳たぶを挟むクリップ式イヤリングが知られている。クリップ式イヤリングは、開閉を繰り返しているうちに緩んでくる。特許文献１には、主装飾体と副装飾体の回動部の隙間に特殊な円形金属板材を介装することによって、この緩みを解消しようとしたクリップ式イヤリングが記載されている。しかしながら、このクリップ式イヤリングであっても、長期にわたって開閉を繰り返すと、緩みが生じてくる場合がある。開閉を繰り返し続けても緩まない装身具の出現が望まれている。
【先行技術文献】
【特許文献】
【０００３】
【特許文献１】特許第４５９２１１６号公報
【発明の概要】
【発明が解決しようとする課題】
【０００４】
本発明はこのような事情に鑑みてなされたものであり、軸体を軸として２つの部材を回動しても、これらの部材が長期にわたって緩まない装身具を提供することを目的とする。
【課題を解決するための手段】
【０００５】
本発明の装身具は、突出部を備える第一装飾部材と、突出部の両側に隙間が形成されるように突出部を挟む一対の張出部を備える第二装飾部材と、突出部および一対の張出部の回動軸となる軸体と、両側の隙間にそれぞれ配置された複数枚の板状部材とを有し、第一装飾部材と第二装飾部材で被保持体を挟む装身具であって、両側の隙間にそれぞれ配置された複数枚の板状部材が、中心部がへこんでいる形状を備え、中心部のへこみが対向するように配置された２枚の板状部材を含む。
【０００６】
本発明の他の装身具は、突出部を備える第一装飾部材と、突出部の両側に隙間が形成されるように突出部を挟む一対の張出部を備える第二装飾部材と、突出部および一対の張出部の回動軸となる軸体と、両側の隙間にそれぞれ配置された複数枚の板状部材とを有し、第一装飾部材と第二装飾部材で被保持体を挟む装身具であって、両側の隙間にそれぞれ配置された複数枚の板状部材が、中心部が盛り上がっている形状を備え、中心部の盛り上がりが対向するように配置された２枚の板状部材を含む。
【発明の効果】
【０００７】
本発明の装身具では、第一装飾部材と第二装飾部材との２つの隙間のそれぞれに、中心部のへこみまたは盛り上がりが対向するように２枚の板状部材を配置した。この２枚の板状部材の復元力のため、第一装飾部材と第二装飾部材を回動しても、これらの部材が長期にわたって緩まない。
【図面の簡単な説明】
【０００８】
【図１】第一実施形態のイヤリングの正面図。
【図２】第一実施形態のイヤリングの第一装飾部材の正面図（ａ）と背面図（ｂ）。
【図３】第一実施形態のイヤリングの第二装飾部材の正面図（ａ）と背面図（ｂ）。
【図４】図１のイヤリングのＡ−Ａ線部分断面模式図。
【図５】第一実施形態のイヤリングのワッシャーの側面図（ａ）と正面図（ｂ）。
【図６】第二実施形態のイヤリングの部分断面模式図。
【図７】第三実施形態のイヤリングの部分断面模式図。
【図８】第四実施形態のイヤリングの部分断面模式図。
【発明を実施するための形態】
【０００９】
以下、本発明の装身具について、図面を参照しながら各実施形態に基づいて説明する。なお、図面は、装身具、装身具の構成部材、および装身具の周辺部材を模式的に表したものであり、これらの実物の寸法および寸法比は、図面上の寸法および寸法比と必ずしも一致していない。また、特にことわらない限り、本明細書では便宜上、図１に示す装身具の向きを基準に上下方向を表す。重複説明は適宜省略し、同一部材には同一符号を付与することがある。
【００１０】
（第一実施形態）
図１は、本発明の第一実施形態に係る装身具であるクリップ式のイヤリング１０の正面を示している。イヤリング１０は、第一装飾部材１２と、第二装飾部材１４と、軸体１６と、板状部材であるワッシャー１８を備えている。第一装飾部材１２と第二装飾部材１４は、下部を回動軸として回動する。この第一装飾部材１２と第二装飾部材１４の回動によって、イヤリング１０の上部が開閉する。第一装飾部材１２と第二装飾部材１４を回動させながらイヤリング１０の上部を開き、イヤリング１０の上部の開口を被保持体である耳たぶの前後に配置し、イヤリング１０の上部を閉じてイヤリング１０で耳たぶを挟む。こうして、イヤリング１０は耳に装着される。なお、装身具はイヤリング以外であってもよく、人間の身体以外、例えばペット、携行品、日用品、または家具等を挟んでもよい。
【００１１】
図２（ａ）は第一装飾部材１２の正面を、図２（ｂ）は第一装飾部材１２の背面をそれぞれ示している。なお、図２（ａ）に示す第一装飾部材１２の正面は、図１に示す第一装飾部材１２の右側面である。図２（ａ）に示す第一装飾部材１２の正面が身体の後面となるように、イヤリング１０が耳たぶに装着される。第一装飾部材１２の背面には宝石などの装飾体２０が設けられている。このため、装飾体２０は身体の前面側に配置され、対面した人から視認される。また、第一装飾部材１２は突出部１２ａを備えている。なお、第一装飾部材１２の正面に装飾体を設けて、イヤリングを装着した人の後方から装飾体が視認されるようにしてもよい。
【００１２】
図３（ａ）は第二装飾部材１４の正面を、図３（ｂ）は第二装飾部材１４の背面をそれぞれ示している。なお、図３（ａ）に示す第二装飾部材１４の正面は、図１に示す第二装飾部材１４の左側面である。図３（ａ）に示す第二装飾部材１４の正面が身体の前面となるように、イヤリング１０が耳たぶに装着される。第二装飾部材１４の正面には宝石などの装飾体２２が設けられている。このため、装飾体２２は身体の前面側に配置され、対面した人から視認される。なお、第二装飾部材１４の背面に装飾体を設けて、イヤリングを装着した人の後方から装飾体が視認されるようにしてもよい。また、第二装飾部材１４は、一対の張出部である第一張出部１４ａと第二張出部１４ｂを備えている。
【００１３】
図４は、図１に示すイヤリングのＡ−Ａ線の断面の一部分を示している。第一張出部１４ａと第二張出部１４ｂは、突出部１２ａの両側の隙間である第一隙間２４と第二隙間２６が形成されるように、突出部１２ａを挟んでいる。軸体１６は、突出部１２ａ、第一張出部１４ａ、および第二張出部１４ｂの回動軸となっている。本実施例では、軸体１６が、第一張出部１４ａ、第一隙間２４内の２枚のワッシャー１８，１８、突出部１２ａ、第二隙間内の２枚のワッシャー１８，１８、および第二張出部１４ｂを貫通している。
【００１４】
そして、第二張出部１４ｂの外側で、軸体１６が第二張出部１４ｂにろう付け固定されている。このため、第一装飾部材１２は、第二装飾部材１４に対して回動可能である。なお、軸体１６は、第一張出部１４ａまたは第二張出部１４ｂから抜けなければ、第二張出部１４ｂに固定されていなくてもよいし、第一張出部１４ａと第二張出部１４ｂを貫通しないで、第一張出部１４ａと第二張出部１４ｂのそれぞれの内側で保持されていてもよい。
【００１５】
図５（ａ）はワッシャー１８の側面を、図５（ｂ）はワッシャー１８の正面をそれぞれ示している。ワッシャー１８は、例えばステンレス製で、外径約２．５ｍｍの円形の板状部材であり、中心部に直径約０．８ｍｍの穴１８ａが設けられている。ワッシャー１８は、中心部がへこんでいる形状を備えている。換言すると、ワッシャー１８は、表面が滑らかなすり鉢のような形状を備えている。より具体的には、ワッシャー１８の正面１８ｂは、外周から中心部に向かって傾斜している。軸体１６は穴１８ａを通過している。
【００１６】
ワッシャー１８の中心部のへこみは、ワッシャー１８の厚みと同程度である。すなわち、ワッシャー１８の正面１８ｂの外周１８ｃと内周１８ｄの高低差約０．０７ｍｍは、ワッシャー１８の厚み約０．０８ｍｍとほぼ同じである。本実施形態では、ワッシャー１８は、外周から穴１８ａに向かって傾斜平面を備えているが、これに代えて、ワッシャー１８の正面１８ｂが外周から中心部に向かって曲面状に傾斜していてもよい。
【００１７】
図４に示すように、第一隙間２４と第二隙間２６には、中心部のへこみが対向するように、弾性変形した２枚のワッシャー１８，１８が設けられている。なお、図４では中心部のへこみを強調して示しているが、実物のイヤリング１０では、弾性変形によって、計４枚のワッシャー１８，１８，１８，１８がほぼ平らになっている。第一隙間２４と第二隙間２６のそれぞれに、中心部のへこみが対向するように、かつほぼ平らとなるように、２枚のワッシャー１８が設けられているので、２枚のワッシャー１８，１８の復元力によって、第一装飾部材１２と第二装飾部材１４の間が緩まない。
【００１８】
また、図１に示すように、ワッシャー１８は、突出部１２ａおよび一対の張出部１４ａ，１４ｂからはみ出していない。本実施形態のワッシャー１８を使用することによって、突出部１２ａおよび一対の張出部１４ａ，１４ｂからワッシャー１８がはみ出さなくても、第一装飾部材１２と第二装飾部材１４が長期にわたって緩まないからである。このため、イヤリング１０の見栄えをよくしつつ、第一装飾部材１２と第二装飾部材１４の緩みが抑えられる。
【００１９】
また、２枚のワッシャー１８，１８の復元力は、軸体１６の周囲で、第一装飾部材と第二装飾部材にほぼ均等に付与される。このため、２枚のワッシャー１８，１８は、第一装飾部材１２と第二装飾部材１４の回動を妨げない。また、第一装飾部材１２と第二装飾部材１４を回動して任意の位置で放置しても、第一装飾部材１２と第二装飾部材１４はこの位置から勝手に回動しない。イヤリング１０の開閉耐久試験を行ったところ、第一装飾部材１２と第二装飾部材１４を１００００回開閉しても、第一装飾部材１２と第二装飾部材１４が緩まなかった。
【００２０】
（第二実施形態）
図６は、本発明の第二実施形態に係るクリップ式のイヤリング３０の部分断面を示している。このイヤリング３０の部分断面は、イヤリング１０の部分断面を示した図４に対応している。ただし、図６では第一隙間２４の記載を省略している。イヤリング３０は、第一隙間２４と第二隙間２６のそれぞれにワッシャー１８が４枚ずつ設けられている点で、イヤリング１０と異なる。なお、ワッシャー１８の枚数を除いて、イヤリング３０はイヤリング１０と同様の構成である。
【００２１】
イヤリング３０では、第一隙間２４と第二隙間２６のそれぞれに、中心部のへこみが対向するように、弾性変形した２枚のワッシャー１８，１８が２組、つまり４枚設けられている。このように、第一隙間２４と第二隙間２６に設けられた複数枚のワッシャーが、中心部のへこみが対向するように配置され、弾性変形した２枚のワッシャー１８，１８の１組以上からなるので、すなわち、中心部のへこみが対向するように配置された一対以上のワッシャー１８，１８のみから構成されるので、第一装飾部材１２と第二装飾部材１４の間がより一層緩まない。なお、本実施形態では、第一隙間２４と第二隙間２６の両方に設けられた複数枚のワッシャーが、この２枚のワッシャー１８，１８の１組以上から構成されているが、第一隙間２４と第二隙間２６の一方に設けられた複数枚のワッシャーのみが、この２枚のワッシャー１８，１８の１組以上から構成されていてもよい。
【００２２】
（第三実施形態）
図７は、本発明の第三実施形態に係るクリップ式のイヤリング４０の部分断面を示している。このイヤリング４０の部分断面は、イヤリング１０の部分断面を示した図４に対応している。ただし、図７では第一隙間２４の記載を省略している。イヤリング４０は、第一隙間２４と第二隙間２６の両方に、２枚のワッシャー１８，１８と１枚のワッシャー４２が設けられている点で、イヤリング１０と異なる。ワッシャーの枚数を除いて、イヤリング４０はイヤリング１０と同様の構成である。
【００２３】
イヤリング４０では、第一隙間２４と第二隙間２６のそれぞれに、中心部のへこみが対向するように、弾性変形した２枚のワッシャー１８，１８が１組、つまり２枚と、平らな板状部材であるワッシャー４２が１枚の計３枚のワッシャー１８，１８，４２が設けられている。このように、第一隙間２４と第二隙間２６に設けられた複数枚のワッシャーが、中心部のへこみが対向するように配置され、弾性変形した２枚のワッシャー１８，１８の１組以上と、平らなワッシャー４２の１枚以上を含むので、第一装飾部材１２と第二装飾部材１４の間がより一層緩まない。平らなワッシャー４２は、第一隙間２４や第二隙間２６の幅を調整するときに使用できる。
【００２４】
なお、本実施形態では、第一隙間２４と第二隙間２６の両方に設けられた複数枚のワッシャーが、この２枚のワッシャー１８，１８と、１枚の平らなワッシャー４２から構成されているが、第一隙間２４と第二隙間２６の一方に設けられた複数枚のワッシャーのみが、この２枚のワッシャー１８，１８と、１枚の平らなワッシャー４２から構成されていてもよい。また、第一隙間２４や第二隙間２６には、２枚のワッシャー１８，１８を複数組設けてもよいし、平らなワッシャー４２を２枚以上設けてもよい。
【００２５】
（第四実施形態）
図８は、本発明の第四実施形態に係るクリップ式のイヤリング５０の部分断面を示している。このイヤリング５０の部分断面は、イヤリング１０の部分断面を示した図４に対応している。ただし、図８では第一隙間２４の記載を省略している。イヤリング５０は、第一隙間２４と第二隙間２６の両方に、２枚のワッシャー１８，１８が設けられている点で、イヤリング１０と同じである。しかし、イヤリング５０の第一隙間２４と第二隙間２６にそれぞれ設けられた２枚のワッシャー１８，１８の向きは、イヤリング１０と反対である。
【００２６】
すなわち、図８に示すように、イヤリング５０では、弾性変形した２枚のワッシャー１８，１８は、中心部の盛り上がりが対向するように、第一隙間２４と第二隙間２６に設けられている。なお、図８では中心部の盛り上がりを強調して示しているが、実物のイヤリング５０では、弾性変形によって、計４枚のワッシャー１８，１８，１８，１８がほぼ平らになっている。第一隙間２４と第二隙間２６のそれぞれに、中心部の盛り上がりが対向するように、かつほぼ平らとなるように、２枚のワッシャー１８，１８が設けられているので、２枚のワッシャー１８，１８の復元力によって、第一装飾部材１２と第二装飾部材１４の間が緩まない。
【００２７】
なお、第一実施形態、第三実施形態、および第四実施形態では、第一隙間２４と第二隙間２６のそれぞれに設けられるワッシャーの枚数は、複数枚であれば特に制限がない。また、第二実施形態では、第一隙間２４と第二隙間２６の少なくとも一方に設けられるワッシャーの枚数は、偶数枚であれば特に制限がない。さらに、第一実施形態、第三実施形態、および第四実施形態では、第一隙間２４と第二隙間２６の少なくとも一方に、中心部がへこんでいるワッシャー１８以外のワッシャーが、任意の種類および枚数で設けられていてもよい。
【符号の説明】
【００２８】
１０，３０，４０，５０    イヤリング
１２    第一装飾部材
１２ａ  突出部
１４    第二装飾部材
１４ａ  第一張出部
１４ｂ  第二張出部
１６    軸体
１８，４２    ワッシャー
１８ａ  穴
１８ｂ  一方の面
１８ｃ  外周
１８ｄ  内周
２０，２２    装飾体
２４    第一隙間
２６    第二隙間
【図１】
2019181053.tif 000003
【図２】
2019181053.tif 000004
【図３】
2019181053.tif 000005
【図４】
2019181053.tif 000006
【図５】
2019181053.tif 000007
【図６】
2019181053.tif 000008
【図７】
2019181053.tif 000009
【図８】
2019181053.tif 000010